(57)【要約】【課題】所望の形状の棚、柵、間仕切りなどを容易に形成できるとともに、その構成部材を殆ど損傷することなく、変形したり、解体したりできる接続部材の構造を提案するにある。【解決手段】円筒部材９又はパネル材２０を接続して棚、柵、間仕切りなどを形成する場合、接続部位に溶着などの手段を用いず、基体１、基体１１、突起３、磁石５、接合部材１３などからなる接続部材を用いるが、基体１は立方体に基体１１は四角柱状に形成し、雌ネジ部２又は雌ネジ部１２を穿設し、先端に雄ネジ部４を設けた突起３を所望の前記雌ネジ部に着脱できるようにし、雌ネジ部に螺着した突起３に、予め磁石を嵌入し所定位置に固定してある円筒部材９又はパネル材２０を嵌合して、磁石の磁力により、円筒部材９やパネル材２０が容易に脱落しないようにしてある。【選択図】図１
0003131094.tif 000002
【実用新案登録請求の範囲】
【請求項１】
円筒部材９を接続して棚、柵又は間仕切り部材などを所望の形状及び大きさに形成する場合において、６面に雌ネジ部２を穿設した立方体状の基体１と、鋼鉄製で先端に前記雌ネジ部２に螺着可能に雄ネジ部４を設けた円柱状の突起３と、円柱状で前部に孔６を穿設して前記突起３と接着する磁石７を嵌着するとともに外周に溝８を穿設した接合部材５と、前記円筒部材９の複数箇所を前記溝８に陥入してなることを特徴とする接続部材の構造。
【請求項２】
パネル材２０を接続して棚、柵又は間仕切り部材などを所望の形状及び大きさに形成する場合において、複数面に雌ネジ部１２を穿設した四角柱状の基体１１と、鋼鉄製で先端に前記雌ネジ部１２に螺着可能に雄ネジ部４を設けた円柱状の突起３と、円柱状で前部に孔１４を穿設して前記突起３と接着する磁石１５を嵌着するとともに外周に溝１６を穿設し、後部に雄ネジ部１７を設けた接合部材１３と、前記突起３及び接合部材１３を嵌入し前記溝１６に複数箇所を陥入させた円筒部材１８と、前記パネル材２０に孔２１を穿設し、該孔２１に雌ネジ部材２２を打ち込み固定するとともに、前記円筒部材１８を嵌入して雄ネジ部１７を前記雌ネジ部材２２に螺着してなることを特徴とする接続部材の構造。
【考案の詳細な説明】
【技術分野】
【０００１】
本考案は、各種の用途に用いる棚、各種展示物の懸架に用いる柵、間仕切りなどを簡易に形成することができる主として金属製の接続部材の構造に関するものである。
【背景技術】
【０００２】
例えば、店舗や事務所などで、業務に関連する商品その他の物品を陳列するために用いる陳列棚などは、必要に応じ設置し、業務の都合により設置したものを撤去し、或いはその大きさや設置場所を変更する必要が絶えず生ずる。また、業務に関連する各種案内や軽量な商品（例えば布製品）を懸架する柵なども臨機に応じ設置し、撤去し、変更しなければならない場合がある。更に、空間に簡易な間仕切りを設けて空間を有効に利用する必要がしばしば生ずる。従って、これらの事情に簡便に対応できれば、極めて便利である。更に、長期にわたって使用する棚、柵等にあっても、所望の形状及び大きさに簡易に形成できれば費用や労力を節減できる。しかし、従来これらの目的を解決する手段は殆ど提案されていない。
【特許文献１】特開２００５−１５５００８号公報
【考案の開示】
【考案が解決しようとする課題】
【０００３】
解決しようとする問題点は、所望の形状の棚、柵、間仕切りなどを容易に形成できるとともに、これを変形したり、解体する場合にも棚、柵、間仕切りなどの構成部材を殆ど損傷することがなく、従ってその再使用を可能とする該構成部材の接続部材を提供することにある。
【課題を解決するための手段】
【０００４】
本考案は、棚、柵、間仕切りなどの構成部材を接続して棚、柵、間仕切りなどを形成する場合、接続部位に溶着などの手段を用いず、接続部材の端部に構成部材の端部を嵌着し、かつ、これが抜け落ちないよう磁力により固定する方法によることを最も主要な特徴とする。
【考案の効果】
【０００５】
本考案の接続部材の構造は、基体と、基体所定面に着脱自在に螺着する突起と、前部に磁石を嵌着した接着部材と、突起及び接着部材との結合手段などからなり、前記筒状又はパネル状の構成部材を嵌着し、該構成部材が抜け落ちないよう磁石による磁力で固定する構成にしてあるので、棚、柵、間仕切りなどの形成が極めて容易であり、また、形成されている棚や柵などの全部又は一部を解体する場合にも前記突起から前記構成部材を抜去すればよいので、該構成部材を損傷することが殆どないという利点がある。上記のように、該構成部材が抜け落ちないよう磁石による磁力で固定する構成にしてあるので、用いる磁石はフェライト磁石より比較的磁力の強いネオジム磁石であることが好ましいが、勿論これに限定されるものではない。
【考案を実施するための最良の形態】
【０００６】
前記接続部材の基体の形状は、例えば棚として用いる場合、立方体又は四角柱状に形成すれば該基体の端部に棚板を載置するに便宜であるが、球体その他の形状に形成することも全く選択不可能ではない。
【実施例１】
【０００７】
図１（ａ）は、本考案の１実施例の概略を示す斜視図、図２（ａ）は基体１の形状の一例を示す斜視図、同図（ｂ）は突起３の形状を示す側面図及び背面図、図３（ａ）は磁石７を嵌着した状態を示す接合部材５の正面図、同図（ｂ）は接合部材５の側面図、図４は円筒部材９に前記突起３及び接合部材５とを嵌合した状態を示す断面説明図である。
【０００８】
まず、本考案の実施例１の概略を説明する。図１（ａ）に示すように、棚、柵、間仕切りなど所望の形状に形成するため、基体１に円筒部材９を取着する。取着手段の細部について説明すると、前記基体１は、図２（ａ）に示すように、立方体に形成し、その６面各中央部に雌ネジ部２を穿設して、同図（ｂ）に示す鋼鉄製で先端に雄ネジ部４を設けた円柱状の突起３を所望の雌ネジ部２に着脱可能に形成する。突起３は、前記円筒部材９が嵌着可能な径に形成するので、嵌着した円筒部材９が突起３から脱落することを防止する手段として、図３に示す接合部材５を用いる。該接合部材５は、前部に孔６を穿設し、磁石７を嵌着し適宜な手段で固着するとともに、同図（ｂ）に示すように、外周適宜な位置に側溝８を穿設し、接合部材５の先端から側溝８までの長さと、突起３の雄ネジ部４の長さを除いた長さとを加えた長さを円筒部材９の先端から計測し、その計測位置に側溝８の前端が位置するよう突起３及び接合部材５を円筒部材９に嵌入し、適宜の手段で円筒部材９の外壁で前記側溝８の上面に位置する部分を例えば２箇所加圧して凹部１０を形成して固定する。このようにすれば、円筒部材９を突起３に嵌着したとき磁力により容易に脱落することを防止できる。そこで、突起３の雄ネジ部４を雌ネジ部２に螺着する。前記凹部１０の形成を容易にするため、前記円筒部材９の材質をアルミニウムとすることも考えられる。
【実施例２】
【０００９】
図１（ｂ）は、本考案の他の実施例の概略を示す斜視図、図５は基体１１の形状の一例を示す斜視図、図６（ａ）は磁石１５を嵌着した状態を示す接合部材１３の正面図、同図（ｂ）は接合部材１３の側面図、図７は接合部材１３を円筒部材１８に嵌入固着し、パネル材２０に突起３とともに取着した状態を示す側断面図である。
【００１０】
次に、実施例２の概略を説明する。図１（ｂ）に示すように、棚、柵、間仕切りなどを所望の形状に形成するため、基体１１にパネル材２０を取着する。取着手段の細部について説明すると、まず、前記基体１１は、図５に示すように、四角柱状に形成し、所望の面に雌ネジ部１２を穿設して、図２（ｂ）に示す前記突起３の雄ネジ部４を所望の雌ネジ部１２に着脱可能に形成する。パネル材２０を基体１１に取着したとき脱落することを防止する手段として、図６に示す接合部材１３を用いる。該接合部材１３は、前部に孔１４を穿設し、磁石１５を嵌着し適宜の手段で固着するとともに、同図（ｂ）に示すように、外周適宜な位置に側溝１６を穿設し、かつ、後部に雄ネジ部１７を形成してある。パネル材２０を取着するとき、前記突起３と接合部材１３を接合するため、図７に示すように円筒部材１８に接合部材１３を嵌入し、突起３の雄ネジ部を除いた長さと接合部材１３の側溝１６までの長さを計測し、円筒部材１８の外壁を適宜な手段で側溝１６の上面が位置する部分を例えば２箇所加圧し凹部１９を形成して固着する。更に、パネル２０に同図に示すような形状の孔２１を穿設し、その奥部へ雌ネジ部材２２を押し込み固定し、前記接合部材１３の雄ネジ部１７を螺着固定する。パネル材２０の取着は、まず、基体１１の所望の雌ネジ部１２に突起３の雄ネジ部４を螺着し、パネル材２０に前記のように固定された接続部材１３を突起３に接合すればよい。
【産業上の利用可能性】
【００１１】
基体１又は基体１１の下面に穿設した雌ネジ部２又は雌ネジ部１２に脚を、或いは上面雌ネジ部２又は雌ネジ部１２には天板を螺着すれば、簡易な机を形成でき、また、下面雌ネジ部２又は雌ネジ１２にキャスターを螺着すれば、簡易な運搬用具にも適用できる。
【図面の簡単な説明】
【００１２】
【図１】（ａ)は１実施例の概略を示す説明図、（ｂ）は他の実施例の概略を示す説明図である。
【図２】（ａ）は基体１の形状の一例を示す斜視図、（ｂ）は突起３の形状を示す側面図及び背            面図である。
【図３】（ａ）は磁石５の正面図、（ｂ）は磁石５の側面図である。
【図４】円筒部材９を突起３及び磁石５と嵌合した状態を示す断面説明図である。
【図５】基体１１の形状の一例を示す斜視図である。
【図６】（ａ）は磁石１５を嵌着した状態を示す接合部材１３の正面図（ｂ）接合部材１３の側            面図である。
【図７】接合部材１３を円筒部材１８に嵌入固着し、パネル材２０に突起３とともに取着した状            態を示す断面説明図である。
【符号の説明】
【００１３】
１    基体
２    雌ネジ部
３    突起
４    雄ネジ部
５    接合部材
６    孔
７    磁石
８    側溝
９    円筒部材
１０  凹部
１１  基体
１２  雌ネジ部
１３  接合部材
１４  孔
１５  磁石
１６  側溝
１７  雄ネジ部
１８  円筒部材
１９  凹部
２０  パネル材
２１  孔
２２  雌ネジ部材
【図１】
0003131094.tif 000003
【図２】
0003131094.tif 000004
【図３】
0003131094.tif 000005
【図４】
0003131094.tif 000006
【図５】
0003131094.tif 000007
【図６】
0003131094.tif 000008
【図７】
0003131094.tif 000009